(57)【要約】  本願の実施例はマルチホップの中継伝送を実現することのできる中継伝送方法及び中継ノードを開示する。該方法は、第１ノードの中継層が第２ノードから送信された目標データを受信し、前記第２ノードがアンカーノード又は中継ノードであり、前記第１ノードが前記第２ノードに無線接続され、前記アンカーノードがコアネットワークに有線接続され、前記目標データの宛先ノードが第３ノードであることと、前記第１ノードの中継層が受信された前記目標データを処理することと、を含む。
2021510254.tif 000002
【特許請求の範囲】
【請求項１】
中継伝送方法であって、
第１ノードの中継層が第２ノードから送信された目標データを受信し、前記第２ノードがアンカーノード又は中継ノードであり、前記第１ノードが前記第２ノードに無線接続され、前記アンカーノードがコアネットワークに有線接続され、前記目標データの宛先ノードが第３ノードであることと、
前記第１ノードの中継層が受信された前記目標データを処理することと、を含むことを特徴とする中継伝送方法。
【請求項２】
前記第３ノードが端末装置であり、又は前記第３ノードが端末装置に直接接続される中継ノードであることを特徴とする請求項１に記載の方法。
【請求項３】
前記第１ノードの中継層が受信された前記目標データを処理することは、
前記第１ノードの中継層が前記目標データを前記中継層の上位層に提出することを含むことを特徴とする請求項１又は２に記載の方法。
【請求項４】
前記第１ノードの中継層が受信された前記目標データを処理することは、
前記第１ノードの中継層が前記目標データを他の中継ノードに転送することを含むことを特徴とする請求項１又は２に記載の方法。
【請求項５】
前記第１ノードの中継層が受信された前記目標データを処理することは、
前記第１ノードの中継層が前記目標データを端末装置に転送し、前記第１ノードが前記端末装置に直接接続されることを含むことを特徴とする請求項１又は２に記載の方法。
【請求項６】
前記第１ノードの中継層が前記目標データを端末装置に転送することは、
前記第１ノードの中継層が前記目標データを前記中継層の上位層に提出することと、
前記中継層の上位層が前記目標データを前記端末装置に転送することと、を含むことを特徴とする請求項５に記載の方法。
【請求項７】
前記方法は、更に、
前記第１ノードの中継層が第１指示情報に基づいて前記目標データの処理方式を決定することを含み、前記目標データの処理方式は、
前記目標データを前記端末装置に転送する、前記目標データを他の中継ノードに転送する、及び前記目標データを前記中継層の上位層に提出する方式のうちの１つであることを特徴とする請求項１〜６のいずれか１項に記載の方法。
【請求項８】
前記第１指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報のうちの少なくとも１つを示すことに用いられることを特徴とする請求項７に記載の方法。
【請求項９】
前記第１指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれることを特徴とする請求項７又は８に記載の方法。
【請求項１０】
前記方法は、更に、
前記目標データを他の中継ノードに提出しないと決定した場合、前記第１ノードの中継層が第２指示情報に基づき、前記目標データを前記中継層の第１上位層に提出することを決定し、前記第１上位層が前記中継層の少なくとも１つの上位層のうちの１つであることを含むことを特徴とする請求項７〜９のいずれか１項に記載の方法。
【請求項１１】
前記第１ノードの中継層が第２指示情報に基づき、前記目標データを前記中継層の第１上位層に提出することを決定することは、
前記第１ノードの中継層が前記第２指示情報に基づき、前記目標データを前記端末装置に転送する必要があるかどうかを決定することと、
前記第１ノードの中継層が前記目標データを前記端末装置に転送する必要があるかどうかによって、前記目標データの提出先である前記第１上位層を決定することと、を含むことを特徴とする請求項１０に記載の方法。
【請求項１２】
前記第１ノードの中継層が前記目標データを前記中継層の上位層に提出することは、
前記第１ノードの中継層が前記目標データを前記第１上位層に提出することを含むことを特徴とする請求項１０又は１１に記載の方法。
【請求項１３】
前記第２指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられることを特徴とする請求項１０〜１２のいずれか１項に記載の方法。
【請求項１４】
前記第２指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれることを特徴とする請求項１０〜１３のいずれか１項に記載の方法。
【請求項１５】
前記方法は、
前記目標データを他の中継ノードに提出しないと決定した場合、前記第１ノードの中継層が前記目標データを前記中継層の上位層に提出することと、
前記中継層の上位層が第３指示情報に基づき、前記目標データを前記中継層の第２上位層に提出することを決定し、前記第２上位層が前記中継層の少なくとも１つの上位層のうちの１つであることと、を含むことを特徴とする請求項７〜９のいずれか１項に記載の方法。
【請求項１６】
前記中継層の上位層が第３指示情報に基づき、前記目標データを前記中継層の第２上位層に提出することを決定することは、
前記中継層の上位層が前記第３指示情報に基づき、前記目標データを前記端末装置に転送する必要があるかどうかを決定することと、
前記中継層の上位層が前記目標データを前記端末装置に転送する必要があるかどうかによって、前記目標データの提出先である前記第２上位層を決定することと、を含むことを特徴とする請求項１５に記載の方法。
【請求項１７】
前記第１ノードの中継層が前記目標データを前記中継層の上位層に提出することは、
前記第１ノードの中継層が前記目標データを前記第２上位層に提出することを含むことを特徴とする請求項１５又は１６に記載の方法。
【請求項１８】
前記第３指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられることを特徴とする請求項１５〜１７のいずれか１項に記載の方法。
【請求項１９】
前記第３指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれることを特徴とする請求項１５〜１８のいずれか１項に記載の方法。
【請求項２０】
前記中継層の少なくとも１つの上位層は、
インターネットプロトコル（ＩＰ）層、パケットデータコンバージェンスプロトコル（ＰＤＣＰ）層、サービスデータ適応プロトコル（ＳＤＡＰ）層、無線リソース制御（ＲＲＣ）層、非アクセス層（ＮＡＳ）層、ユーザーデータグラムプロトコル（ＵＤＰ）層、汎用パケット無線サービストンネリングプロトコル（ＧＴＰ）層、ストリーム制御伝送プロトコル（ＳＣＴＰ）層、Ｆ１アプリケーションプロトコル（Ｆ１ＡＰ）層のうちの少なくとも１つを含むことを特徴とする請求項１０〜１９のいずれか１項に記載の方法。
【請求項２１】
前記中継層の上位層は、
インターネットプロトコル（ＩＰ）層、パケットデータコンバージェンスプロトコル（ＰＤＣＰ）層、サービスデータ適応プロトコル（ＳＤＡＰ）層、無線リソース制御（ＲＲＣ）層、非アクセス層（ＮＡＳ）層、ユーザーデータグラムプロトコル（ＵＤＰ）層、汎用パケット無線サービストンネリングプロトコル（ＧＴＰ）層、ストリーム制御伝送プロトコル（ＳＣＴＰ）層、Ｆ１アプリケーションプロトコル（Ｆ１ＡＰ）層のうちの少なくとも１つを含むことを特徴とする請求項３又は５〜２０のいずれか１項に記載の方法。
【請求項２２】
前記第１ノードの中継層が前記第１ノードの無線リンク（ＲＬＣ）層の上に位置することを特徴とする請求項１〜２１のいずれか１項に記載の方法。
【請求項２３】
前記第１ノードの中継層がパケットデータコンバージェンスプロトコル（ＰＤＣＰ）層において実現されることを特徴とする請求項１〜２１のいずれか１項に記載の方法。
【請求項２４】
前記第１ノードの中継層がＰＤＣＰ層の下に位置することを特徴とする請求項１〜２１のいずれか１項に記載の方法。
【請求項２５】
前記第１ノードと前記第２ノードとの間にポイントツーポイント方式で前記目標データを伝送し、且つ前記第１ノードと前記第１ノードの次のホップノードとの間にポイントツーポイント方式で前記目標データを伝送し、前記第１ノードの次のホップノードが他の中継ノード又は端末装置であることを特徴とする請求項１〜２４のいずれか１項に記載の方法。
【請求項２６】
前記アンカーノードと前記第３ノードとの間にエンドツーエンド方式で前記目標データを伝送することを特徴とする請求項１〜２４のいずれか１項に記載の方法。
【請求項２７】
前記第１ノードがアンカーノードから送信された目標データを受信することは、
前記第１ノードが、前記アンカーノードが端末装置のデータ接続によって送信した前記目標データを受信することを含むことを特徴とする請求項１〜２６のいずれか１項に記載の方法。
【請求項２８】
前記端末装置のデータ接続が前記端末装置のＰＤＣＰエンティティと前記アンカーノードのＰＤＣＰエンティティとの間に確立されることを特徴とする請求項２７に記載の方法。
【請求項２９】
前記端末装置に直接接続される中継ノードが前記目標データに対して汎用パケット無線サービストンネリングプロトコル（ＧＴＰ）層処理を行わないことを特徴とする請求項２７又は２８に記載の方法。
【請求項３０】
前記端末装置に直接接続される中継ノードが前記目標データに対して汎用パケット無線サービストンネリングプロトコル（ＧＴＰ）層処理を行うことを特徴とする請求項２７又は２８に記載の方法。
【請求項３１】
前記目標データが前記目標データの属する端末装置及び／又は前記端末装置に直接接続される中継ノードのアドレスを含むことを特徴とする請求項２７又は２８に記載の方法。
【請求項３２】
分散ユニット（ＤＵ）としての前記第１ノードが、中央ユニット（ＣＵ）としての前記アンカーノードと接続を確立することを特徴とする請求項１〜３１のいずれか１項に記載の方法。
【請求項３３】
前記第１ノードと前記アンカーノードとの間のインターフェースがＣＵ−ＤＵインターフェースであることを特徴とする請求項３２に記載の方法。
【請求項３４】
前記第１ノードがアンカーノードから送信されたデータを受信することは、
前記第１ノードが、前記アンカーノードが前記端末装置に直接接続される中継ノードのデータ接続によって送信した前記目標データを受信することを含むことを特徴とする請求項１〜３３のいずれか１項に記載の方法。
【請求項３５】
前記端末装置に直接接続される中継ノードのデータ接続が、前記端末装置に直接接続される中継ノードのＰＤＣＰエンティティと前記アンカーノードのＰＤＣＰエンティティとの間に確立されることを特徴とする請求項３４に記載の方法。
【請求項３６】
前記端末装置に直接接続される中継ノードは、前記目標データに対してＧＴＰ層処理を行って、前記端末装置のデータベアラによって前記端末装置へ前記目標データを転送することに用いられることを特徴とする請求項３４又は３５に記載の方法。
【請求項３７】
前記目標データが前記目標データの属する端末装置に直接接続される中継ノードのアドレスを含むことを特徴とする請求項３４又は３５に記載の方法。
【請求項３８】
前記第１ノードがアクセスネットワーク装置として前記アンカーノードと接続を確立することを特徴とする請求項３４〜３７のいずれか１項に記載の方法。
【請求項３９】
前記アクセスネットワーク装置が５Ｇシステムにおけるアクセスネットワーク装置であることを特徴とする請求項３８に記載の方法。
【請求項４０】
前記第１ノードと前記アンカーノードとの間のインターフェースがＮ２インターフェース、及び／又はＮ３インターフェース、及び／又はＸｎインターフェースであることを特徴とする請求項３８又は３９に記載の方法。
【請求項４１】
前記方法は、更に、
初期に開始するとき、前記第１ノードが端末装置のアクセス方式で前記アンカーノードにアクセスすることを含むことを特徴とする請求項１〜４０のいずれか１項に記載の方法。
【請求項４２】
前記方法は、更に、
初期アクセスに成功した後、前記第１ノードが前記アンカーノードとの接続を切断して、中継ノードのアクセス方式で前記アンカーノードにアクセスすることを含むことを特徴とする請求項１〜４１のいずれか１項に記載の方法。
【請求項４３】
中継ノードであって、
第２ノードから送信された目標データを受信することに用いられ、前記第２ノードがアンカーノード又は中継ノードであり、前記中継ノードが前記第２ノードに無線接続され、前記アンカーノードがコアネットワークに有線接続され、前記目標データの宛先ノードが第３ノードである通信モジュールと、
受信された前記目標データを処理することに用いられる処理モジュールと、を備えることを特徴とする中継ノード。
【請求項４４】
前記第３ノードが端末装置であり、又は前記第３ノードが端末装置に直接接続される中継ノードであることを特徴とする請求項４３に記載の中継ノード。
【請求項４５】
前記処理モジュールは、具体的に、
前記目標データを前記中継ノードの中継層の上位層に提出することに用いられることを特徴とする請求項４３又は４４に記載の中継ノード。
【請求項４６】
前記処理モジュールは、具体的に、
前記目標データを他の中継ノードに転送することに用いられることを特徴とする請求項４３又は４４に記載の中継ノード。
【請求項４７】
前記処理モジュールは、更に、
中継層において前記目標データを端末装置に転送することに用いられ、前記第１ノードが前記端末装置に直接接続されることを特徴とする請求項４３又は４４に記載の中継ノード。
【請求項４８】
前記通信モジュールは、更に、
中継層において前記目標データを前記中継層の上位層に提出することと、
前記中継層の上位層において前記目標データを前記端末装置に転送することと、に用いられることを特徴とする請求項４７に記載の中継ノード。
【請求項４９】
前記中継ノードは、更に、
中継層において第１指示情報に基づいて前記目標データの処理方式を決定するための決定モジュールを備え、前記目標データの処理方式は、
前記目標データを前記端末装置に転送する、前記目標データを他の中継ノードに転送する、及び前記目標データを前記中継層の上位層に提出する方式のうちの１つであることを特徴とする請求項４３〜４８のいずれか１項に記載の中継ノード。
【請求項５０】
前記第１指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報のうちの少なくとも１つを示すことに用いられることを特徴とする請求項４９に記載の中継ノード。
【請求項５１】
前記第１指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれることを特徴とする請求項４９又は５０に記載の中継ノード。
【請求項５２】
前記決定モジュールは、更に、
前記目標データを他の中継ノードに提出しないと決定した場合、中継層において第２指示情報に基づき、前記目標データを前記中継層の第１上位層に提出することを決定することに用いられ、前記第１上位層が前記中継層の少なくとも１つの上位層のうちの１つであることを特徴とする請求項４９〜５１のいずれか１項に記載の中継ノード。
【請求項５３】
前記決定モジュールは、具体的に、
中継層において前記第２指示情報に基づき、前記目標データを前記端末装置に転送する必要があるかどうかを決定することと、
中継層において前記目標データを前記端末装置に転送する必要があるかどうかによって、前記目標データの提出先である前記第１上位層を決定することと、に用いられることを特徴とする請求項５２に記載の中継ノード。
【請求項５４】
前記通信モジュールは、具体的に、
中継層において前記目標データを前記第１上位層に提出することに用いられることを特徴とする請求項５２又は５３に記載の中継ノード。
【請求項５５】
前記第２指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられることを特徴とする請求項５２〜５４のいずれか１項に記載の中継ノード。
【請求項５６】
前記第２指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれることを特徴とする請求項５２〜５５のいずれか１項に記載の中継ノード。
【請求項５７】
前記決定モジュールは、更に、
前記目標データを他の中継ノードに提出しないと決定した場合、中継層において前記目標データを前記中継層の上位層に提出することと、
前記中継層の上位層において第３指示情報に基づき、前記目標データを前記中継層の第２上位層に提出することを決定し、前記第２上位層が前記中継層の少なくとも１つの上位層のうちの１つであることと、に用いられることを特徴とする請求項４９〜５１のいずれか１項に記載の中継ノード。
【請求項５８】
前記決定モジュールは、更に、
前記中継層の上位層において前記第３指示情報に基づき、前記目標データを前記端末装置に転送する必要があるかどうかを決定することと、
前記中継層の上位層において前記目標データを前記端末装置に転送する必要があるかどうかによって、前記目標データの提出先である前記第２上位層を決定することと、に用いられることを特徴とする請求項５７に記載の中継ノード。
【請求項５９】
前記通信モジュールは、更に、
前記中継層において前記目標データを前記第２上位層に提出することに用いられることを特徴とする請求項５７又は５８に記載の中継ノード。
【請求項６０】
前記第３指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられることを特徴とする請求項５７〜５９のいずれか１項に記載の中継ノード。
【請求項６１】
前記第３指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれることを特徴とする請求項５７〜６０のいずれか１項に記載の中継ノード。
【請求項６２】
前記中継層の少なくとも１つの上位層は、
インターネットプロトコル（ＩＰ）層、パケットデータコンバージェンスプロトコル（ＰＤＣＰ）層、サービスデータ適応プロトコル（ＳＤＡＰ）層、無線リソース制御（ＲＲＣ）層、非アクセス層（ＮＡＳ）層、ユーザーデータグラムプロトコル（ＵＤＰ）層、汎用パケット無線サービストンネリングプロトコル（ＧＴＰ）層、ストリーム制御伝送プロトコル（ＳＣＴＰ）層、Ｆ１アプリケーションプロトコル（Ｆ１ＡＰ）層のうちの少なくとも１つを含むことを特徴とする請求項５２〜６１のいずれか１項に記載の中継ノード。
【請求項６３】
前記中継層の上位層は、
インターネットプロトコル（ＩＰ）層、パケットデータコンバージェンスプロトコル（ＰＤＣＰ）層、サービスデータ適応プロトコル（ＳＤＡＰ）層、無線リソース制御（ＲＲＣ）層、非アクセス層（ＮＡＳ）層、ユーザーデータグラムプロトコル（ＵＤＰ）層、汎用パケット無線サービストンネリングプロトコル（ＧＴＰ）層、ストリーム制御伝送プロトコル（ＳＣＴＰ）層、Ｆ１アプリケーションプロトコル（Ｆ１ＡＰ）層のうちの少なくとも１つを含むことを特徴とする請求項４５又は４７〜６２のいずれか１項に記載の中継ノード。
【請求項６４】
前記中継ノードの中継層が前記中継ノードの無線リンク（ＲＬＣ）層の上に位置することを特徴とする請求項６０〜６３のいずれか１項に記載の中継ノード。
【請求項６５】
前記中継ノードの中継層がパケットデータコンバージェンスプロトコル（ＰＤＣＰ）層において実現されることを特徴とする請求項６０〜６３のいずれか１項に記載の中継ノード。
【請求項６６】
前記中継ノードの中継層がＰＤＣＰ層の下に位置することを特徴とする請求項６０〜６３のいずれか１項に記載の中継ノード。
【請求項６７】
前記中継ノードと前記第２ノードとの間にポイントツーポイント方式で前記目標データを伝送し、且つ前記中継ノードと前記中継ノードの次のホップノードとの間にポイントツーポイント方式で前記目標データを伝送し、前記中継ノードの次のホップノードが他の中継ノード又は端末装置であることを特徴とする請求項６０〜６６のいずれか１項に記載の中継ノード。
【請求項６８】
前記アンカーノードと前記第３ノードとの間にエンドツーエンド方式で前記目標データを伝送することを特徴とする請求項６０〜６６のいずれか１項に記載の中継ノード。
【請求項６９】
前記通信モジュールは、具体的に、
前記アンカーノードが端末装置のデータ接続によって送信した前記目標データを受信することに用いられることを特徴とする請求項６０〜６８のいずれか１項に記載の中継ノード。
【請求項７０】
前記端末装置のデータ接続が前記端末装置のＰＤＣＰエンティティと前記アンカーノードのＰＤＣＰエンティティとの間に確立されることを特徴とする請求項６９に記載の中継ノード。
【請求項７１】
前記端末装置に直接接続される中継ノードが前記目標データに対して汎用パケット無線サービストンネリングプロトコル（ＧＴＰ）層処理を行わないことを特徴とする請求項６９又は７０に記載の中継ノード。
【請求項７２】
前記端末装置に直接接続される中継ノードが前記目標データに対して汎用パケット無線サービストンネリングプロトコル（ＧＴＰ）層処理を行うことを特徴とする請求項６９又は７０に記載の中継ノード。
【請求項７３】
前記目標データが前記目標データの属する端末装置及び／又は前記端末装置に直接接続される中継ノードのアドレスを含むことを特徴とする請求項６９又は７０に記載の中継ノード。
【請求項７４】
分散ユニット（ＤＵ）としての前記中継ノードが、中央ユニット（ＣＵ）としての前記アンカーノードと接続を確立することを特徴とする請求項７１〜７３のいずれか１項に記載の中継ノード。
【請求項７５】
前記中継ノードと前記アンカーノードとの間のインターフェースがＣＵ−ＤＵインターフェースであることを特徴とする請求項７４に記載の中継ノード。
【請求項７６】
前記通信モジュールは、具体的に、
前記アンカーノードが前記端末装置に直接接続される中継ノードのデータ接続によって送信した前記目標データを受信することに用いられることを特徴とする請求項６１〜６９のいずれか１項に記載の中継ノード。
【請求項７７】
前記端末装置に直接接続される中継ノードのデータ接続が、前記端末装置に直接接続される中継ノードのＰＤＣＰエンティティと前記アンカーノードのＰＤＣＰエンティティとの間に確立されることを特徴とする請求項７６に記載の中継ノード。
【請求項７８】
前記端末装置に直接接続される中継ノードは、前記目標データに対してＧＴＰ層処理を行って、前記端末装置のデータベアラによって前記端末装置へ前記目標データを転送することに用いられることを特徴とする請求項７６又は７７に記載の中継ノード。
【請求項７９】
前記目標データが前記目標データの属する端末装置に直接接続される中継ノードのアドレスを含むことを特徴とする請求項７６又は７７に記載の中継ノード。
【請求項８０】
前記中継ノードがアクセスネットワーク装置として前記アンカーノードと接続を確立することを特徴とする請求項７６〜７９のいずれか１項に記載の中継ノード。
【請求項８１】
前記アクセスネットワーク装置が５Ｇシステムにおけるアクセスネットワーク装置であることを特徴とする請求項８０に記載の中継ノード。
【請求項８２】
前記中継ノードと前記アンカーノードとの間のインターフェースがＮ２インターフェース、及び／又はＮ３インターフェース、及び／又はＸｎインターフェースであることを特徴とする請求項８０又は８１に記載の中継ノード。
【請求項８３】
前記中継ノードは、更に、
初期に開始するとき、端末装置のアクセス方式で前記アンカーノードにアクセスするためのアクセスモジュールを備えることを特徴とする請求項６１〜８２のいずれか１項に記載の中継ノード。
【請求項８４】
前記中継ノードは、更に、
初期アクセスに成功した後、前記アンカーノードとの接続を切断して、中継ノードのアクセス方式で前記アンカーノードにアクセスするためのアクセスモジュールを備えることを特徴とする請求項６１〜８３のいずれか１項に記載の中継ノード。
【請求項８５】
コンピュータプログラムを記憶することに用いられ、前記コンピュータプログラムによってコンピュータが請求項１〜４２のいずれか１項に記載の方法を実行することを特徴とする記憶媒体。
【請求項８６】
請求項１〜４２のいずれか１項に記載の方法を実行するためのプロセッサを備えることを特徴とする中継ノード。
【請求項８７】
チップであって、メモリからコンピュータプログラムを呼び出して実行することにより、前記チップを取り付けている装置が請求項１〜４２のいずれか１項に記載の方法を実行するようにするためのプロセッサを備えることを特徴とするチップ。
【請求項８８】
コンピュータプログラム命令を含み、前記コンピュータプログラム命令によってコンピュータが請求項１〜４２のいずれか１項に記載の中継伝送方法を実行することを特徴とするコンピュータプログラム製品。
【請求項８９】
コンピュータプログラムであって、前記コンピュータプログラムによってコンピュータが請求項１〜４２のいずれか１項に記載の中継伝送方法を実行することを特徴とするコンピュータプログラム。
【発明の詳細な説明】
【関連出願の相互参照】
【０００１】
本願は、２０１８年１月９日に提出した中国特許出願第ＰＣＴ／ＣＮ２０１８／０７１９７３号、発明の名称「中継伝送方法及び中継ノード」のＰＣＴ特許出願、及び２０１８年４月１８日に提出した中国特許出願第ＰＣＴ／ＣＮ２０１８／０８３５５９号、発明の名称「中継伝送方法及び中継ノード」のＰＣＴ特許出願の優先権を主張し、その全内容が援用により本願に取り込まれる。
【技術分野】
【０００２】
本願の実施例は通信分野に関し、より具体的に、中継伝送方法及び中継ノードに関する。
【背景技術】
【０００３】
セルのカバレッジ面積を増加させるために、ロングタームエボリューション（ＬＴＥ、Ｌｏｎｇ  Ｔｅｒｍ  Ｅｖｏｌｕｔｉｏｎ）システムに中継技術が導入され、例えば、基地局１が基地局２に無線接続されてもよく、基地局２がコアネットワークに有線接続されてもよく、それにより基地局１は基地局２によってコアネットワークとの接続を実現できるが、ＬＴＥシステムはマルチホップ伝送経路をサポートせずに、シングルホップ伝送経路のみをサポートする。
【０００４】
新無線（ＮＲ、Ｎｅｗ  Ｒａｄｉｏ）システムはＬＴＥシステムのエアインターフェースプロトコルと異なるものであり、且つ、ＮＲシステムはマルチホップ伝送をサポートするように要求され、このため、どのようにＮＲシステムの中継通信を実現するかは早急な解決の待たれる問題である。
【発明の概要】
【発明が解決しようとする課題】
【０００５】
本発明はＮＲシステムの中継通信を実現することのできる中継伝送方法及び中継ノードを提供する。
【課題を解決するための手段】
【０００６】
第１態様は中継伝送方法を提供し、
第１ノードの中継層が第２ノードから送信された目標データを受信し、前記第２ノードがアンカーノード又は中継ノードであり、前記第１ノードが前記第２ノードに無線接続され、前記アンカーノードがコアネットワークに有線接続され、前記目標データの宛先ノードが第３ノードであることと、
前記第１ノードの中継層が受信された前記目標データを処理することと、を含む。
【０００７】
いくつかの可能な実現方式では、前記第３ノードが端末装置であり、又は前記第３ノードが端末装置に直接接続される中継ノードである。
【０００８】
いくつかの可能な実現方式では、前記第１ノードの中継層が受信された前記目標データを処理することは、
前記第１ノードの中継層が前記目標データを前記中継層の上位層に提出することを含む。
【０００９】
いくつかの可能な実現方式では、前記第１ノードの中継層が受信された前記目標データを処理することは、
前記第１ノードの中継層が前記目標データを他の中継ノードに転送することを含む。
【００１０】
可能な一実現方式では、前記第１ノードの中継層が受信された前記目標データを処理することは、
前記第１ノードの中継層が前記目標データを端末装置に転送し、前記第１ノードが前記端末装置に直接接続されることを含む。
【００１１】
可能な一実現方式では、前記第１ノードの中継層が前記目標データを端末装置に転送することは、
前記第１ノードの中継層が前記目標データを前記中継層の上位層に提出することと、
前記中継層の上位層が前記目標データを前記端末装置に転送することと、を含む。
【００１２】
可能な一実現方式では、前記方法は、更に、
前記第１ノードの中継層が第１指示情報に基づいて前記目標データの処理方式を決定することを含み、前記目標データの処理方式は、
前記目標データを前記端末装置に転送する、前記目標データを他の中継ノードに転送する、及び前記目標データを前記中継層の上位層に提出する方式のうちの１つである。
【００１３】
可能な一実現方式では、前記第１指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報のうちの少なくとも１つを示すことに用いられる。
【００１４】
可能な一実現方式では、前記第１指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれる。
【００１５】
可能な一実現方式では、前記方法は、更に、
前記目標データを他の中継ノードに提出しないと決定した場合、前記第１ノードの中継層が第２指示情報に基づき、前記目標データを前記中継層の第１上位層に提出することを決定し、前記第１上位層が前記中継層の少なくとも１つの上位層のうちの１つであることを含む。
【００１６】
可能な一実現方式では、前記第１ノードの中継層が第２指示情報に基づき、前記目標データを前記中継層の第１上位層に提出することを決定することは、
前記第１ノードの中継層が前記第２指示情報に基づき、前記目標データを前記端末装置に転送する必要があるかどうかを決定することと、
前記第１ノードの中継層が前記目標データを前記端末装置に転送する必要があるかどうかによって、前記目標データの提出先である前記第１上位層を決定することと、を含む。
【００１７】
可能な一実現方式では、前記第１ノードの中継層が前記目標データを前記中継層の上位層に提出することは、
前記第１ノードの中継層が前記目標データを前記第１上位層に提出することを含む。
【００１８】
すなわち、該実施例では、該第１ノードの中継層はまず該目標データをどの上位層に提出するかを判断してもよく、次に該目標データを該上位層に提出してもよく、選択肢として、該上位層は更に該目標データを上位層に提出してもよく、又は該目標データを上位層に提出しなくてもよく、本願の実施例は制限しない。
【００１９】
可能な一実現方式では、前記第２指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられる。
【００２０】
可能な一実現方式では、前記第２指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれる。
【００２１】
可能な一実現方式では、前記方法は、
前記目標データを他の中継ノードに提出しないと決定した場合、前記第１ノードの中継層が前記目標データを前記中継層の上位層に提出することと、
前記中継層の上位層が第３指示情報に基づき、前記目標データを前記中継層の第２上位層に提出することを決定し、前記第２上位層が前記中継層の少なくとも１つの上位層のうちの１つであることと、を含む。
【００２２】
すなわち、該実施例では、該第１ノードの中継層がまず該目標データを上位層に提出し、次に中継層の上位層が該目標データをどの上位層に提出するかを決定する。
【００２３】
可能な一実現方式では、前記中継層の上位層が第３指示情報に基づき、前記目標データを前記中継層の第２上位層に提出することを決定することは、
前記中継層の上位層が前記第３指示情報に基づき、前記目標データを前記端末装置に転送する必要があるかどうかを決定することと、
前記中継層の上位層が前記目標データを前記端末装置に転送する必要があるかどうかによって、前記目標データの提出先である前記第２上位層を決定することと、を含む。
【００２４】
可能な一実現方式では、前記第１ノードの中継層が前記目標データを前記中継層の上位層に提出することは、
前記第１ノードの中継層が前記目標データを前記第２上位層に提出することを含む。
【００２５】
可能な一実現方式では、前記第３指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられる。
【００２６】
可能な一実現方式では、前記第３指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれる。
【００２７】
可能な一実現方式では、前記中継層の少なくとも１つの上位層は、
インターネットプロトコル（ＩＰ）層、パケットデータコンバージェンスプロトコル（ＰＤＣＰ）層、サービスデータ適応プロトコル（ＳＤＡＰ）層、無線リソース制御（ＲＲＣ）層、非アクセス層（ＮＡＳ）層、ユーザーデータグラムプロトコル（ＵＤＰ）層、汎用パケット無線サービストンネリングプロトコル（ＧＴＰ）層、ストリーム制御伝送プロトコル（ＳＣＴＰ）層、Ｆ１アプリケーションプロトコル（Ｆ１ＡＰ）層のうちの少なくとも１つを含む。
【００２８】
可能な一実現方式では、前記中継層の上位層は、
インターネットプロトコル（ＩＰ）層、パケットデータコンバージェンスプロトコル（ＰＤＣＰ）層、サービスデータ適応プロトコル（ＳＤＡＰ）層、無線リソース制御（ＲＲＣ）層、非アクセス層（ＮＡＳ）層、ユーザーデータグラムプロトコル（ＵＤＰ）層、汎用パケット無線サービストンネリングプロトコル（ＧＴＰ）層、ストリーム制御伝送プロトコル（ＳＣＴＰ）層、Ｆ１アプリケーションプロトコル（Ｆ１ＡＰ）層のうちの少なくとも１つを含む。
【００２９】
いくつかの可能な実現方式では、前記第１ノードの中継層が前記第１ノードの無線リンク（ＲＬＣ）層の上に位置する。
【００３０】
いくつかの可能な実現方式では、前記第１ノードの中継層がパケットデータコンバージェンスプロトコル（ＰＤＣＰ）層において実現される。
【００３１】
いくつかの可能な実現方式では、前記第１ノードの中継層がＰＤＣＰ層の下に位置する。
【００３２】
いくつかの可能な実現方式では、前記第１ノードと前記第２ノードとの間にポイントツーポイント方式で前記目標データを伝送し、且つ前記第１ノードと前記第１ノードの次のホップノードとの間にポイントツーポイント方式で前記目標データを伝送し、前記第１ノードの次のホップノードが他の中継ノード又は端末装置である。
【００３３】
いくつかの可能な実現方式では、前記アンカーノードと前記第３ノードとの間にエンドツーエンド方式で前記目標データを伝送する。
【００３４】
いくつかの可能な実現方式では、前記第１ノードがアンカーノードから送信された目標データを受信することは、
前記第１ノードが、前記アンカーノードが端末装置のデータ接続によって送信した前記目標データを受信することを含む。
【００３５】
いくつかの可能な実現方式では、前記端末装置のデータ接続が前記端末装置のＰＤＣＰエンティティと前記アンカーノードのＰＤＣＰエンティティとの間に確立される。
【００３６】
いくつかの可能な実現方式では、前記端末装置に直接接続される中継ノードが前記目標データに対して汎用パケット無線サービストンネリングプロトコル（ＧＴＰ）層処理を行わない。
【００３７】
いくつかの可能な実現方式では、前記端末装置に直接接続される中継ノードが前記目標データに対して汎用パケット無線サービストンネリングプロトコル（ＧＴＰ）層処理を行う。
【００３８】
いくつかの可能な実現方式では、前記目標データが前記目標データの属する端末装置及び／又は前記端末装置に直接接続される中継ノードのアドレスを含む。
【００３９】
いくつかの可能な実現方式では、分散ユニット（ＤＵ）としての前記第１ノードが、中央ユニット（ＣＵ）としての前記アンカーノードと接続を確立する。
【００４０】
いくつかの可能な実現方式では、前記第１ノードと前記アンカーノードとの間のインターフェースがＣＵ−ＤＵインターフェースである。
【００４１】
いくつかの可能な実現方式では、前記第１ノードがアンカーノードから送信されたデータを受信することは、
前記第１ノードが、前記アンカーノードが前記端末装置に直接接続される中継ノードのデータ接続によって送信した前記目標データを受信することを含む。
【００４２】
いくつかの可能な実現方式では、前記端末装置に直接接続される中継ノードのデータ接続が前記端末装置に直接接続される中継ノードのＰＤＣＰエンティティと前記アンカーノードのＰＤＣＰエンティティとの間に確立される。
【００４３】
いくつかの可能な実現方式では、前記端末装置に直接接続される中継ノードが前記目標データに対してＧＴＰ層処理を行って、前記端末装置のデータベアラによって前記端末装置へ前記目標データを転送することに用いられる。
【００４４】
いくつかの可能な実現方式では、前記目標データが前記目標データの属する端末装置及び／又は前記端末装置に直接接続される中継ノードのアドレスを含む。
【００４５】
いくつかの可能な実現方式では、前記第１ノードがアクセスネットワーク装置として前記アンカーノードと接続を確立する。
【００４６】
いくつかの可能な実現方式では、前記アクセスネットワーク装置が５Ｇシステムにおけるアクセスネットワーク装置である。
【００４７】
いくつかの可能な実現方式では、前記第１ノードと前記アンカーノードとの間のインターフェースがＮ２インターフェース、及び／又はＮ３インターフェース、及び／又はＸｎインターフェースである。
【００４８】
いくつかの可能な実現方式では、前記方法は、更に、
初期に開始するとき、前記第１ノードが端末装置のアクセス方式で前記アンカーノードにアクセスすることを含む。
【００４９】
いくつかの可能な実現方式では、前記方法は、更に、
初期アクセスに成功した後、前記第１ノードが前記アンカーノードとの接続を切断して、中継ノードのアクセス方式で前記アンカーノードにアクセスすることを含む。
【００５０】
第２態様は中継ノードを提供し、該中継ノードは上記第１態様又は第１態様のいずれか１つの可能な実現方式における方法を実行することに用いられる。具体的に、該端末装置は上記第１態様又は第１態様のいずれか１つの可能な実現方式における方法を実行するためのユニットを備える。
【００５１】
第３態様は中継ノードを提供し、該中継ノードはメモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第１態様又は第１態様のいずれか１つの可能な実現方式における方法を実行することに用いられる。
【００５２】
第４態様はコンピュータ記憶媒体を提供し、該コンピュータ記憶媒体は上記第１態様又は第１態様のいずれか１つの可能な実現方式における方法を実行するために用いた、上記態様を実行するために設計したプログラムを含むコンピュータソフトウェア命令を記憶することに用いられる。
【００５３】
第５態様は命令を含むコンピュータプログラム製品を提供し、該コンピュータプログラム製品がコンピュータにおいて実行されるとき、コンピュータが上記第１態様又は第１態様のいずれか１つの可能な実現方式における方法を実行する。
【００５４】
第６態様はコンピュータプログラムを提供し、該コンピュータプログラムがコンピュータにおいて実行されるとき、コンピュータが上記第１態様〜第１態様のいずれか１つの態様又はその各実現方式における方法を実行する。
【００５５】
第７態様はチップを提供し、該チップはメモリからコンピュータプログラムを呼び出して実行することにより、前記チップを取り付けた装置が上記第１態様〜第１態様のいずれか１つの態様又はその各実現方式における方法を実行するようにするためのプロセッサを備える。
【図面の簡単な説明】
【００５６】
【図１】図１は本願の実施例の応用シーンの模式図である。
【図２】図２は本願の実施例の中継伝送方法の模式的なフローチャートである。
【図３】図３は本願の実施例の中継伝送方法の実現方式の模式図である。
【図４】図４は本願の実施例の中継伝送方法の他の実現方式の模式図である。
【図５】図５は本願の実施例の中継ノードの模式的なブロック図である。
【図６】図６は本願の他の実施例の中継ノードの模式的なブロック図である。
【図７】図７は本願の実施例のチップの構造模式図である。
【発明を実施するための形態】
【００５７】
以下、本願の実施例の図面を参照しながら本願の実施例の技術案を説明する。
【００５８】
本願の実施例の技術案は様々な通信システム、例えばロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００５９】
図１には本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内の端末装置（例えば、ＵＥ）と通信することができる。選択肢として、該ネットワーク装置１００はＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよく、又は、該ネットワーク装置はアクセスポイント、車載装置、ウェアラブル端末、将来の５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００６０】
該無線通信システム１００は更にネットワーク装置１１０のカバレッジ範囲内の少なくとも１つの端末装置１２０を備える。端末装置１２０は可動又は固定であってもよい。選択肢として、端末装置１２０はアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末は携帯電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００６１】
本願の実施例では、該ネットワーク装置１１０がドナーノード（Ｄｏｎｏｒ  ｎｏｄｅ）とも称されるアンカーノードであってもよく、該ネットワーク装置１１０がコアネットワークに有線接続されてもよく、該ネットワーク装置１１０が無線通信システムにおける端末装置１２０と直接通信してもよく、又は、少なくとも１つの中継ノード、例えば中継ノード１３０を介して端末装置１２０と通信してもよく、中継ノード１３０とネットワーク装置１１０とが無線接続方式で通信し、中継ノード１３０と端末装置１２０とが無線接続方式で通信してもよい。
【００６２】
理解されるように、本願の実施例では、中継ノード１３０はネットワーク装置、例えば上記ネットワーク装置１１０の様々な実現形式であってもよく、端末装置、例えば上記実施例における端末装置１２０の様々な実現形式であってもよく、本願の実施例は制限しない。
【００６３】
選択肢として、本願の実施例では、５Ｇシステム又はネットワークが更に新無線（ＮＲ、Ｎｅｗ  Ｒａｄｉｏ）システム又はネットワークと称されてもよい。
【００６４】
選択肢として、該無線通信システム１００は更にネットワーク制御装置、モビリティ管理エンティティ等の他のネットワークエンティティを備えてもよく、本願の実施例は制限しない。
【００６５】
図１に例示的に示されるネットワーク装置、端末装置及び中継ノードの数は例示的なものであって制限的ではないが、選択肢として、該無線通信システム１００は複数のネットワーク装置を備えてもよく、且つ各ネットワーク装置のカバレッジ範囲内には他の数の端末装置が含まれてもよく、ネットワーク装置と端末装置との間に更に他の数の中継ノードが含まれてもよく、本願の実施例は制限しない。
【００６６】
ＮＲシステムのエアインターフェースプロトコルがＬＴＥシステムのエアインターフェースプロトコルと異なるものであって、ＬＴＥシステムに基づく中継技術がシングルホップ伝送のみをサポートするため、ＮＲシステムにおいてアンカーノードから中継ノードまでのマルチホップ伝送をサポートする必要があることに鑑みて、本願の実施例はマルチホップの中継伝送を実現することのできる中継伝送方法を提供する。
【００６７】
図２は本願の実施例に係る中継伝送方法２００の模式的なフローチャートであり、図２に示すように、該方法２００は、
第１ノードの中継層が第２ノードから送信された目標データを受信し、前記第２ノードがアンカーノード又は中継ノードであり、前記第１ノードが前記第２ノードに無線接続され、前記アンカーノードがコアネットワークに有線接続され、前記目標データの宛先ノードが第３ノードであるＳ２１０と、
前記第１ノードの中継層が受信された前記目標データを処理するＳ２２０と、を含んでもよい。
【００６８】
本願の実施例では、前記第１ノードが中継ノードであり、前記第１ノードに中継層が設定され、前記中継層が第２ノードとの接続を確立することに用いられてもよく、前記中継層が更にマルチホップルーティング選択機能を担ってもよく、又は、前記中継層が中継ノード間のトポロジーを確立し、複数の中継ノード間の経路選択機能を実現することに用いられてもよい。
【００６９】
本願の実施例では、前記第２ノードがアンカーノード（ドナーノードとも称される）であってもよく、この場合、前記第１ノードが１番目の中継ノード又はアンカーノードに最も近い中継ノードであり、又は、前記第２ノードが他の中継ノードであってもよく、すなわち、前記目標データが他の中継ノードから転送されたものであり、本願の実施例は制限しない。
【００７０】
前記第１ノードは前記第２ノードから送信された目標データを受信した後、前記第１ノードの中継層において受信された前記目標データを処理し、前記目標データを他の中継ノードに転送するかそれとも前記目標データを該第１ノードの中継層の上位層に提出して更なる処理をするかを決定してもよい。
【００７１】
選択肢として、本願の実施例では、前記目標データの宛先ノードが第３ノードであり、前記第３ノードが該第１ノード又は端末装置であってもよく、端末装置に直接接続される中継ノードであってもよく、本願の実施例は制限せず、ここで、端末装置が中継ノードに直接接続されることとは、該中継ノードと端末装置との間に他の中継ノードがなく、すなわち該中継ノードからワンホップで端末装置に到達でき、他の中継ノードがデータ転送を行う必要がないことを意味する。
【００７２】
選択肢として、いくつかの実施例では、Ｓ２２０は、
該第１ノードの中継層が該目標データを他の中継ノードに転送し、又は該目標データを該中継ノードの上位層に提出し、又は該目標データを端末装置に転送し、該端末装置が該第１ノードに直接接続されることを含んでもよい。
【００７３】
例えば、該目標データの宛先ノードが該第１ノードである場合、該第１ノードの中継層が該目標データを該中継層の上位層に提出し、該中継層の上位層が該目標データに対して更なる処理をしてもよく、又は、該目標データの宛先ノードが該第１ノードに直接接続される端末装置である場合、該第１ノードの中継層が更に該目標データを該中継層の上位層に提出し、次に該中継層の上位層が該目標データを該端末装置に転送してもよく、又は、目標データの宛先ノードからワンホップで該第１ノードに到達できない場合、該第１ノードの中継層が該目標データを他の中継ノードに転送し、他の中継ノードが宛先ノードへ該目標データを転送してもよく、例えば、該第１ノードの中継層が該目標データを他の中継ノードの中継層に転送し、次に他の中継ノードが該目標データを該第３ノードに転送してもよい。
【００７４】
選択肢として、本願の実施例では、前記目標データのパケットヘッダーは前記目標データの宛先端末アドレスを含んでもよく、該宛先端末アドレスは前記目標データの属する端末装置のアドレス、及び／又は前記端末装置に直接接続される中継ノードのアドレスであってもよい。前記第１ノードは前記目標データのパケットヘッダー情報に基づき、該目標データを他の中継ノードに転送するかそれとも該第１ノードの中継層の上位層に提出するかを決定してもよい。
【００７５】
選択肢として、前記第１ノードが前記目標データの宛先ノードである場合、前記第１ノードの中継層が該目標データを該第１ノードの中継層の上位層に提出してもよく、それにより前記第１ノードの中継層の上位層が該目標データに対して更なる処理をしてもよい。
【００７６】
選択肢として、前記第１ノードが前記目標データの宛先ノードではない場合、前記第１ノードが前記目標データのパケットヘッダーにおける宛先端末アドレスに基づいて該目標データを他の中継ノード又は端末装置に転送してもよく、この場合、前記第１ノードの中継層が該目標データを該中継層の上位層に提出して更なる処理をせずに転送機能のみを実行してもよく、又は、該第１ノードの中継層が更に該目標データを該中継層の上位層に提出し、該中継層の上位層により他の中継ノード又は端末装置に転送してもよい。
【００７７】
要するに、前記第１ノードは受信されたデータの宛先ノードが該第１ノードである場合、受信されたデータを該第１ノードの中継層の上位層に提出してもよく、それにより前記第１ノードの中継層の上位層は受信されたデータに対して更なる処理をしてもよく、又は、前記第１ノードは受信されたデータの宛先ノードが他のノードである場合、受信されたデータを該宛先ノード又は他の中継ノードに転送してもよく、例えば、前記第１ノードは受信されたデータのパケットヘッダーにおける宛先端末アドレスに基づき、該データをどのノードに転送するかを決定してもよい。
【００７８】
選択肢として、いくつかの実施例では、前記方法２００は、更に、
前記第１ノードの中継層が第１指示情報に基づいて前記目標データの処理方式を決定することを含んでもよく、前記目標データの処理方式は、
前記目標データを前記端末装置に転送する、前記目標データを他の中継ノードに転送する、及び前記目標データを前記中継層の上位層に提出する方式のうちの１つである。
【００７９】
具体的には、該第１ノードは該目標データを処理する前に、更に第１指示情報に基づき、どの処理方式で該目標データを処理するかを決定してもよく、すなわち、該第１ノードは第１指示情報に基づき、該目標データを該中継層の上位層に提出するかそれとも該目標データを端末装置に転送するか、又は該目標データを他の中継ノードに転送するかを決定してもよい。
【００８０】
選択肢として、いくつかの実施例では、該第１指示情報は、
論理チャネル識別子、前記目標データが前記第１ノードに送信されるかどうか、前記目標データが前記第１ノードに直接接続される前記端末装置に送信されるかどうか、前記目標データが第３ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報のうちの少なくとも１つを示すことに用いられてもよい。
【００８１】
従って、該第１ノードは該第１指示情報に基づいて該目標データの宛先ノードを決定してもよく、更に、該目標データの処理方式を決定してもよく、例えば、該目標データの宛先ノードが第１ノードである場合、該第１ノードの中継層は該目標データを該中継層の上位層に提出することを決定してもよく、又は、該目標データの宛先ノードが端末装置である場合、該第１ノードの中継層は該目標データを端末装置に転送してもよく、又は、該目標データの宛先ノードが他の中継ノードである場合、該第１ノードは該目標データを他の中継ノードに転送してもよい。
【００８２】
例示的なものであって制限的なものではないが、該第１指示情報は、
中継層、媒体アクセス制御（ＭＡＣ）層、無線リンク制御（ＲＬＣ、Ｒａｄｉｏ  Ｌｉｎｋ  Ｃｏｎｔｒｏｌ）層、前記中継層の少なくとも１つの上位層のうちの少なくとも１つのプロトコル層のパケットデータユニット（ＰＤＵ）のメッセージヘッダーに含まれる。
【００８３】
例示的なものであって制限的なものではないが、該中継層の少なくとも１つの上位層は、
インターネットプロトコル（ＩＰ、Ｉｎｔｅｒｎｅｔ  Ｐｒｏｔｏｃｏｌ）層、パケットデータコンバージェンスプロトコル（ＰＤＣＰ、Ｐａｃｋｅｔ  Ｄａｔａ  Ｃｏｎｖｅｒｇｅｎｃｅ  Ｐｒｏｔｏｃｏｌ）層、サービスデータ適応プロトコル（ＳＤＡＰ、Ｓｅｒｖｉｃｅ  Ｄａｔａ  Ａｄａｐｔａｔｉｏｎ  Ｐｒｏｔｏｃｏｌ）層、無線リソース制御（ＲＲＣ、Ｒａｄｉｏ  Ｒｅｓｏｕｒｃｅ  Ｃｏｎｔｒｏｌ）層、非アクセス層（ＮＡＳ、Ｎｏｎ−Ａｃｃｅｓｓ  Ｓｔｒａｔｕｍ）層、ユーザーデータグラムプロトコル（ＵＤＰ、Ｕｓｅｒ  Ｄａｔａｇｒａｍ  Ｐｒｏｔｏｃｏｌ）層、汎用パケット無線サービストンネリングプロトコル（ＧＴＰ、Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ）層、ストリーム制御伝送プロトコル（ＳＣＴＰ、Ｓｔｒｅａｍ  Ｃｏｎｔｒｏｌ  Ｔｒａｎｓｍｉｓｓｉｏｎ  Ｐｒｏｔｏｃｏｌ）層、Ｆ１アプリケーションプロトコル（Ｆ１ＡＰ、Ｆ１  Ａｐｐｌｉｃａｔｉｏｎ  Ｐｒｏｔｏｃｏｌ）層のうちの少なくとも１つを含む。
【００８４】
選択肢として、該第１指示情報が他のプロトコル層のＰＤＵのメッセージヘッダーに含まれてもよく、本願の実施例は制限しない。
【００８５】
理解されるように、本願の実施例では、該中継層の上位層又は該中継層の少なくとも１つの上位層は、中継層の上に位置するプロトコル層、例えば該中継層に隣接する上位層であり、又は該上位層の上位層等であってもよいと理解されてもよく、該中継層の上に位置する上位層であれば、該中継層の上位層であると見なされてよく、本願の実施例は具体的に制限しない。
【００８６】
類似的に、該上位層の上位層は該上位層に隣接する上位層であってもよく、該上位層の上に位置する他の上位層であってもよく、該上位層の上に位置するプロトコル層であれば、該上位層の上位層であると見なされてもよい。
【００８７】
例えば、中継層から上まで順に上位層Ａ、上位層Ｂ、上位層Ｃ及び上位層Ｄである場合、該中継層の上位層が上位層Ａ〜上位層Ｄのうちのいずれか１つであってもよく、該中継層の上位層が上位層Ａである場合、該上位層Ａの上位層が上位層Ｂ〜上位層Ｄのうちのいずれか１つであってもよく、これによって類推する。
【００８８】
選択肢として、本願の実施例では、該第１ノードが該目標データを他の中継ノードに転送しないと決定し、例えば該第１ノードが第１指示情報に基づいて、該目標データの宛先ノードを該第１ノード又は該第１ノードに直接接続される端末装置として決定した場合、該第１ノードが該目標データを他の中継ノードに転送しないことを決定してもよい。更に、該第１ノードの中継層が該目標データを該中継層の上位層に提出することを決定してもよく、選択肢として、該第１ノードの宛先ノードが該第１ノードに直接接続される端末装置である場合、該中継層の上位層又は該中継層の上位層の上位層等が更に端末装置へ該目標データを転送してもよい。
【００８９】
以下、具体的な実施例を参照しながら、該第１ノードがどのように該中継層のどの上位層に提出するかを決定することについて説明する。
【００９０】
選択肢として、一実施例として、前記方法２００は、更に、
前記目標データを他の中継ノードに提出しないと決定した場合、前記第１ノードの中継層が第２指示情報に基づき、前記目標データを前記中継層の第１上位層に提出することを決定し、前記第１上位層が前記中継層の少なくとも１つの上位層のうちの１つであることを含む。
【００９１】
具体的には、該実施例では、該第１ノードの中継層は第２指示情報に基づき、該目標データを該中継層のどの上位層に提出するかを決定してもよく、更に、該第１ノードの中継層は該目標データを該上位層に提出してもよく、選択肢として、該上位層は更に該目標データを上位層に提出してもよく、本願の実施例は該目標データを上位層に提出する回数を制限しない。
【００９２】
すなわち、該実施例では、該第１ノードの中継層はまず該目標データをどの上位層に提出するかを判断してもよく、次に該目標データを該上位層に提出してもよく、選択肢として、該上位層は更に該目標データを上位層に提出してもよく、又は該目標データを上位層に提出しなくてもよく、本願の実施例は制限しない。
【００９３】
選択肢として、該目標データが該第１ノードに直接接続される端末装置である場合、該目標データの最終的な提出先である中継層の上位層（該第１上位層であってもよい）は更に該目標データを該端末装置に転送してもよい。
【００９４】
選択肢として、前記第１ノードの中継層が第２指示情報に基づき、前記目標データを前記中継層の第１上位層に提出することを決定することは、
前記第１ノードの中継層が前記第２指示情報に基づき、前記目標データを前記端末装置に転送する必要があるかどうかを決定することと、
前記第１ノードの中継層が前記目標データを前記端末装置に転送する必要があるかどうかによって、前記目標データの提出先である前記第１上位層を決定することと、を含む。
【００９５】
具体的に、該第１ノードの中継層は第２指示情報に基づき、該目標データを端末装置に転送する必要があるかどうかを決定し、すなわち該目標データの宛先ノードが該第１ノードに直接接続される端末装置であるかどうかを決定してもよく、ＹＥＳの場合、該第１ノードの中継層は該目標データを、端末装置へ目標データを転送できる第１上位層に提出してもよく、すなわち該第１ノードの中継層は端末装置へデータを転送できる上位層を該第１上位層として決定してもよく、ＮＯの場合、該第１ノードの中継層は該目標データを該中継層のいずれか１つの上位層又は特定の上位層に提出してもよく、すなわち該第１上位層は該中継層のいずれか１つの上位層又は特定の上位層であってもよい。
【００９６】
例えば、中継層の上位層が上位層Ａ、上位層Ｂ及び上位層Ｃを含み、上位層Ａと上位層Ｂとが目標データを端末装置に転送することができるが、該目標データの宛先ノードが端末装置である場合、該中継層が上位層Ａ及び上位層Ｂから第１上位層を決定してもよく、例えば、上位層Ａ及び／又は上位層Ｂを該第１上位層として決定してもよく、更に、該第１上位層によって端末装置へ該目標データを転送し、又は、該目標データの宛先ノードが該第１ノードである場合、該中継層が上位層Ａ、上位層Ｂ及び上位層Ｃから第１上位層を決定し、例えば、上位層Ａ、上位層Ｂ及び上位層Ｃのうちのいずれか１つの上位層を該第１上位層として決定し、該第１上位層によって該目標データに対して更なる処理をしてもよい。
【００９７】
更に、該第１ノードの中継層は前記目標データを前記第１上位層に提出してもよく、選択肢として、該目標データの宛先ノードが該第１ノードに直接接続される端末装置である場合、前記第１上位層は該目標データを端末装置に転送してもよく、又は、前記第１上位層は更に該目標データを上位層に提出してもよく、該目標データの最終的な提出先である上位層は端末装置へ該目標データを転送してもよい。
【００９８】
例示的なものであって制限的なものではないが、前記第２指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられる。
【００９９】
選択肢として、前記目標データがＲＲＣデータである場合、該第１ノードが端末装置であると見なされてもよく、該第１ノードはＲＲＣデータのフォーマットに基づいて該目標データを復号し、更に該目標データに基づいて自身の無線リンク設定を行ってもよく、又は、前記目標データがＦ１ＡＰデータである場合、該第１ノードがネットワーク装置であると見なされてもよく、該第１ノードはＦ１ＡＰデータのフォーマットに基づいて該目標データを復号し、更に該目標データに基づいて該第１ノードのサービスする端末装置を設定してもよい。
【０１００】
例示的なものであって制限的なものではないが、前記第２指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれる。選択肢として、他の実施例として、前記方法２００は、
前記目標データを他の中継ノードに提出しないと決定した場合、前記第１ノードの中継層が前記目標データを前記中継層の上位層に提出することと、
前記中継層の上位層が第３指示情報に基づき、前記目標データを前記中継層の第２上位層に提出することを決定し、前記第２上位層が前記中継層の少なくとも１つの上位層のうちの１つであることと、を含んでもよい。
【０１０１】
具体的には、該実施例では、該第１ノードの中継層がまず該目標データを上位層に提出し、次に該上位層が第３指示情報に基づき、該目標データを該中継層の第２上位層に提出することを決定してもよく、更に、該上位層が該目標データを該第２上位層に提出してもよく、選択肢として、該第２上位層が更に該目標データを上位層に提出してもよく、本願の実施例は上位層に提出する回数を制限しない。
【０１０２】
該実施例と上記実施例との相違点は、該第１ノードの中継層がまず該目標データを上位層に提出し、次に該中継層の上位層が該目標データをどの上位層に提出するかを判断してもよく、すなわち、上記実施例では、第１ノードの中継層がまず判断し、データをどの上位層に提出するかを決定し、次に該目標データを上位層に提出し、該実施例では、該第１ノードの中継層がまず該目標データを上位層に提出し、次に中継層の上位層が該目標データをどの上位層に提出するかを決定することにある。
【０１０３】
理解されるように、該実施例では、該中継層の上位層は該中継層の上に位置するプロトコル層であってもよく、例えば該中継層に隣接する上位層プロトコル層であってもよく、該上位層プロトコル層の上位層プロトコル層等であってもよく、該中継層の上に位置するプロトコル層であれば、該中継層の上位層であると見なされてもよく、本願の実施例は具体的に制限しない。選択肢として、いくつかの実施例では、前記中継層の上位層が第３指示情報に基づき、前記目標データを前記中継層の第２上位層に提出することを決定することは、
前記中継層の上位層が前記第３指示情報に基づき、前記目標データを前記端末装置に転送する必要があるかどうかを決定することと、
前記中継層の上位層が前記目標データを前記端末装置に転送する必要があるかどうかによって、前記目標データの提出先である前記第２上位層を決定することと、を含む。
【０１０４】
具体的に、該中継層の上位層は第３指示情報に基づき、該目標データを端末装置に転送する必要があるかどうかを決定し、すなわち該目標データの宛先ノードが該第１ノードに直接接続される端末装置であるかどうかを決定してもよく、ＹＥＳの場合、該中継層の上位層は該目標データを、端末装置へ目標データを転送できる第２上位層に提出してもよく、すなわち該中継層の上位層は端末装置へデータを転送できる上位層を該第２上位層として決定してもよく、ＮＯの場合、該中継層の上位層は該目標データを該中継層のいずれか１つの上位層又は特定の上位層に提出してもよく、すなわち該第２上位層は該中継層のいずれか１つの上位層又は特定の上位層であってもよい。
【０１０５】
例えば、中継層の上位層が上位層Ａ、上位層Ｂ及び上位層Ｃを含み、上位層Ａと上位層Ｂとが目標データを端末装置に転送することができるが、該目標データの宛先ノードが端末装置である場合、該中継層の上位層は上位層Ａ及び上位層Ｂから第２上位層を決定してもよく、又は、該目標データの宛先ノードが該第１ノードである場合、該中継層の上位層は上位層Ａ、上位層Ｂ及び上位層Ｃから第２上位層を決定してもよい。
【０１０６】
更に、該中継層の上位層は前記目標データを前記第２上位層に提出してもよく、選択肢として、該目標データの宛先ノードが該第１ノードに直接接続される端末装置である場合、前記第２上位層は該目標データを端末装置に転送してもよく、又は、前記第２上位層は更に該目標データを上位層に提出してもよく、該目標データの最終的な提出先である上位層は端末装置へ該目標データを転送してもよい。
【０１０７】
例示的なものであって制限的なものではないが、前記第３指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられる。
【０１０８】
選択肢として、前記目標データがＲＲＣデータである場合、該第１ノードが端末装置であると見なされてもよく、該第１ノードはＲＲＣデータのフォーマットに基づいて該目標データを復号し、更に該目標データに基づいて自身の無線リンク設定を行ってもよく、又は、前記目標データがＦ１ＡＰデータである場合、該第１ノードがネットワーク装置であると見なされてもよく、該第１ノードはＦ１ＡＰデータのフォーマットに基づいて該目標データを復号し、更に該目標データに基づいて該第１ノードのサービスする端末装置を設定してもよい。
【０１０９】
例示的なものであって制限的なものではないが、前記第３指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれる。
【０１１０】
選択肢として、本願の実施例では、該第１ノードの中継層は前記第１ノードのＲＬＣ層の上に位置してもよく、ＲＬＣ層は自動再送要求（ＡＲＱ、Ａｕｔｏｍａｔｉｃ  Ｒｅｐｅａｔ  ｒｅｑｕｅｓｔ）に使用されてもよく、この場合、アンカーノードから第１ノードまでポイントツーポイント方式でＡＲＱ再送を行うと同時に、第１ノードと該第１ノードの次のホップノードとの間にポイントツーポイント方式でＡＲＱ再送を行ってもよく、これにより、データのロスレス伝送を確保し、第１ノードの次のホップノードが宛先ノードであってもよく、他の中継ノードであってもよい。
【０１１１】
選択肢として、本願の実施例では、該第１ノードの中継層は更にＰＤＣＰ層の下に位置してもよく、又は、前記第１ノードの中継層は更に前記第１ノードのＰＤＣＰ層において実現されてもよく、すなわち前記第１ノードの中継層はＰＤＣＰ層と一体に融合してもよい。ＰＤＣＰ層の機能は暗号化と完全性を確保することであり、中継層をＰＤＣＰ層の下に設置し又はＰＤＣＰ層において実現することにより、データ転送のホップ数にかかわらず、いずれも暗号化と完全性を確保することがＰＤＣＰ層において行われるように確保することができ、すなわち前記アンカーノードと第３ノード（すなわち、目標データの宛先ノード）との間にエンドツーエンド方式でデータ伝送を行うように確保することができ、又は、アンカーノードと第３ノードとの間のＰＤＣＰ接続によってデータ初回送信又はデータ再送を行うことができる。
【０１１２】
選択肢として、いくつかの実施例では、Ｓ２１０は、
前記第１ノードが、前記アンカーノードが端末装置のデータ接続によって送信した前記目標データを受信することを含んでもよい。
【０１１３】
具体的に、汎用パケット無線サービストンネリングプロトコル（ＧＴＰ、Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ）層において、各端末装置は異なるデータストリームに対する少なくとも１つのＧＴＰ接続を有してもよく、各データストリームは対応するサービス品質（ＱｏＳ、Ｑｕａｌｉｔｙ−ｏｆ−Ｓｅｒｖｉｃｅ）への要求があってもよい。該実施例では、アンカーノードは各端末装置に対するデータストリームを解析して、異なるＰＤＣＰエンティティに対応してもよく、且つ、各端末装置はいずれも該各端末装置に属するＰＤＣＰ接続を有し、該各端末装置のＰＤＣＰ接続がアンカーノードのＰＤＣＰ層から端末装置のＰＤＣＰ層に延在し、すなわちアンカーノードのＰＤＣＰエンティティと端末装置のＰＤＣＰエンティティとの間にＰＤＣＰ接続を確立してもよく、それによりアンカーノードは端末装置に対応するＰＤＣＰ接続によって該端末装置に対するデータストリームを転送してもよい。
【０１１４】
選択肢として、いくつかの実施例では、前記Ｓ２１０は、
前記第１ノードが、前記アンカーノードが前記端末装置に直接接続される中継ノードのデータ接続によって送信した前記目標データを受信することを含んでもよい。
【０１１５】
該実施例では、アンカーノードがデータの属する端末装置を区別せずに、端末装置のデータ接続の属する中継ノードを区別し、具体的に、アンカーノードは同じ中継ノードに属するデータストリームを１つのＰＤＣＰ接続に組み合わせ、次に該ＰＤＣＰ接続によってデータを転送してもよく、該ＰＤＣＰ接続がアンカーノードのＰＤＣＰエンティティと端末装置に直接接続される中継ノードのＰＤＣＰエンティティとの間に確立され、すなわちＰＤＣＰ接続がアンカーノードのＰＤＣＰ層から端末装置に直接接続される中継ノードのＰＤＣＰ層に延在し、それによりアンカーノードは端末装置に直接接続される中継ノードのデータ接続によって該端末装置に対するデータストリームを転送してもよい。
【０１１６】
選択肢として、いくつかの実施例では、前記第１ノードは分散ユニット（ＤＵ、Ｄｉｓｔｒｉｂｕｔｅｄ  Ｕｎｉｔ）として、中央ユニット（ＣＵ、Ｃｅｎｔｅｒ  Ｕｎｉｔ）としての前記アンカーノードと接続を確立してもよく、このシーンにおいて、第１ノードは一部のプロトコル層のみを有してもよく、例えば、該第１ノードは物理層（ＰＨＹ）、媒体アクセス制御（ＭＡＣ、Ｍｅｄｉａ  Ａｃｃｅｓｓ  Ｃｏｎｔｒｏｌ）層、ＲＬＣ層及びＰＤＣＰ層を有してもよく、前記第１ノードと前記アンカーノードとの間のインターフェースがＣＵ−ＤＵインターフェースである。
【０１１７】
選択肢として、いくつかの実施例では、前記第１ノードはアクセスネットワーク装置として前記アンカーノードと接続を確立してもよい。例えば、前記第１ノードは５Ｇシステムにおけるアクセスネットワーク装置（ｇＮＢ）として前記アンカーノードと接続を確立してもよく、この場合、前記第１ノードと前記アンカーノードとの間のインターフェースがＮ２インターフェース、Ｎ３インターフェース及びＸｎインターフェースのうちの少なくとも１つであってもよい。
【０１１８】
選択肢として、いくつかの実施例では、前記方法２００は、更に、
初期に開始するとき、前記第１ノードが端末装置のアクセス方式で前記アンカーノードにアクセスすることを含んでもよい。
【０１１９】
選択肢として、他の実施例では、前記方法２００は、更に、
初期アクセスに成功した後、前記第１ノードが前記アンカーノードとの接続を切断して、中継ノードのアクセス方式で前記アンカーノードにアクセスすることを含んでもよい。
【０１２０】
すなわち、初期アクセスするとき、中継ノードは端末装置のプロトコルスタックに基づいてアクセス（例えば、ある中継ノード、不定ノード又は他の任意のノードにアクセス）してもよく、関連する設定情報を取得した後、中継ノードは接続を切断し、更に中継ノード方式でアクセスし、例えば特定のノードを選択し、又は特定のアクセスプロセスに基づいてアクセスしてもよい。要するに、異なる機能を実現するために、中継ノードは異なる段階において異なるプロトコルスタック方式でアクセスしてもよい。
【０１２１】
以下、図３及び図４に示される具体的なシーンを参照しながら、本願の実施例に係る中継伝送方法の実現方式を詳しく説明する。
【０１２２】
なお、図３及び図４に示される各ノードのプロトコル層アーキテクチャは例示的なものに過ぎず、各ノードのプロトコル層アーキテクチャは実際の応用シーンに応じて調整されてもよく、本願の実施例は具体的に制限しない。
【０１２３】
理解されるように、図３及び図４は２ホップのシーンのみを例とし、当然ながら、図３及び図４に示されるプロトコル層アーキテクチャは同様に１ホップ又はそれ以上ホップのシーンに適用され、本願の実施例は具体的に制限しない。
【０１２４】
更に理解されるように、図３及び図４に示される中継層（すなわち、Ｘ層）の位置は例示的なものに過ぎず、当然ながら、中継層は上記実施例における他の位置であってもよく、本願の実施例は制限しない。
【０１２５】
図３及び図４に示されるシーンにおいて、データ伝送方向はアンカーノード→中継ノード１→中継ノード２→ＵＥ１であってもよく、アンカーノードが中継ノード１及び中継ノード２の中継層と接続を確立する。
【０１２６】
図３では、アンカーノードはコアネットワーク（例えば、ユーザープレーン機能（ＵＰＦ、Ｕｓｅｒ  Ｐｌａｎｅ  Ｆｕｎｃｔｉｏｎ））からの第１データを受信し、アンカーノードは該第１データを受信した後、該第１データの宛先ノードをＵＥ１として決定し、それによりアンカーノードは中継ノード１の中継層へ該第１データを送信してもよく、中継ノード１がアンカーノードに直接接続される中継ノードであり、該第１データのパケットヘッダーが該第１データの属する端末装置のアドレス（すなわち、ＵＥ１のアドレス）を含んでもよく、該端末装置に直接接続される中継ノードのアドレス（すなわち、中継ノード２のアドレス）を含んでもよい。
【０１２７】
中継ノード１は該第１データを受信した後、該第１データに含まれるＵＥ１のアドレス及び中継ノード２のアドレスを取得し、次にアドレス情報に基づき、該第１データの宛先ノードが該中継ノード１ではないと決定し、それにより前記中継ノード１の中継層は該第１データを該中継ノード１の中継層の上位層に提出して処理せずに、単に該第１データを中継ノード２に転送し、従って、今回のデータ伝送において、中継ノード１に対するプロトコルスタックが中継層に留まり、すなわち中継層の上に他のプロトコル層がない。
【０１２８】
中継ノード２は中継ノード１により転送された該第１データを受信した後、その自身が該第１データの属する端末装置に直接接続される中継ノードであると決定し、前記中継ノード２は該第１データに対してＧＴＰ層の処理を行わずに、該第１データをＵＥ１に直接転送してもよい。
【０１２９】
選択肢として、中継ノード２は該第１データに対してＧＴＰ層の処理を行い、次に処理後の該第１データをＵＥ１に転送してもよい。
【０１３０】
選択肢として、該実施例では、アンカーノードはＵＥ１のデータ接続によって該第１データを伝送してもよく、ＵＥ１のデータ接続が前記アンカーノードのＰＤＣＰエンティティとＵＥ１のＰＤＣＰエンティティとの間に確立されたＰＤＣＰ接続であり、すなわちアンカーノードはアンカーノードとＵＥ１との間のＰＤＣＰ接続によって該第１データを伝送してもよい。
【０１３１】
理解されるように、図３では、中継ノード２がＤＵとしてアンカーノードに接続され、従って、中継ノード２が一部のプロトコル層のみを有し、中継ノード２とアンカーノードとの間のインターフェースがＣＵ−ＤＵインターフェースであってもよい。
【０１３２】
図３に示される実施例との相違点は、図４に示される実施例では、アンカーノードがＵＥ１に直接接続される中継ノード２のデータ接続によって該第１データを送信してもよく、中継ノード２のデータ接続が前記アンカーノードのＰＤＣＰエンティティと中継ノード２のＰＤＣＰエンティティとの間に確立されたＰＤＣＰ接続であってもよく、すなわちアンカーノードと中継ノード２との間のＰＤＣＰ接続によって該第１データを伝送してもよいということである。
【０１３３】
すなわち、図３に示される実施例では、アンカーノードでのＰＤＣＰ接続がＵＥを区別するためのものであるが、図４では、アンカーノードでのＰＤＣＰ接続が中継ノードに対するものである。
【０１３４】
理解されるように、図４では、中継ノード２がアクセスネットワーク装置（例えば、基地局）としてアンカーノードに接続され、従って、中継ノード２がアクセスネットワーク装置に類似するプロトコルスタックを有し、この場合、中継ノード２とアンカーノードとの間のインターフェースがＮ２インターフェース、Ｎ３インターフェース及びＸｎインターフェースのうちの少なくとも１つであってもよい。
【０１３５】
理解されるように、本願の実施例では、中継ノードのデータ伝送での機能が異なるため、対応するプロトコルスタックアーキテクチャも異なり、例えば、図３及び図４に示されるデータ伝送において、中継ノード１が転送機能のみを担い、このため、中継ノード１のプロトコルスタックが中継層に留まり、当然ながら、他のデータ伝送において、該中継ノード１が端末装置に直接接続される中継ノードである場合、該中継ノード１のプロトコルスタックが中継ノード２に示されるプロトコルスタックアーキテクチャであってもよい。同様に、当然ながら、他のデータ伝送において、該中継ノード２が転送機能のみを担う場合、該中継ノード２のプロトコルスタックが中継ノード１に示されるプロトコルスタックアーキテクチャであってもよい。
【０１３６】
従って、本願の実施例の中継伝送方法において、該データを転送するかそれとも該データを中継層の上位層に提出して更なる処理をするかを決定するよう、中継ノードの中継層はマルチホップルーティング機能を担い、中継層において受信されたデータを処理してもよく、それによりマルチホップの中継通信を実現することができ、ＮＲシステムのセルカバレッジの強化に役立つ。
【０１３７】
以上は図２〜図４を参照しながら本願の方法実施例を詳しく説明したが、以下に図５〜図６を参照しながら本願の装置実施例を詳しく説明し、理解されるように、装置実施例は方法実施例に対応するため、類似の説明は方法実施例を参照してもよい。
【０１３８】
図５は本願の実施例に係る中継ノード５００の模式的なブロック図である。図５に示すように、該中継ノード５００は、
第２ノードから送信された目標データを受信することに用いられ、前記第２ノードがアンカーノード又は中継ノードであり、前記中継ノードが前記第２ノードに無線接続され、前記アンカーノードがコアネットワークに有線接続され、前記目標データの宛先ノードが第３ノードである通信モジュール５１０と、
受信された前記目標データを処理する処理モジュール５２０と、を備える。
【０１３９】
理解されるように、本願の実施例に係る中継ノード５００は本願の方法実施例における第１ノードに対応してもよく、且つ中継ノード５００の各ユニットの上記及び他の操作及び／又は機能はそれぞれ図２に示される方法２００における第１ノードの対応プロセスを実現するためのものであり、簡潔のため、ここで詳細な説明は省略する。
【０１４０】
図６に示すように、本願の実施例は更に中継ノード６００を提供し、該中継ノード６００は図２における方法２００に対応する第１ノードの内容を実行することのできる図５における中継ノード５００であってもよい。該中継ノード６００は入力インターフェース６１０、出力インターフェース６２０、プロセッサ６３０及びメモリ６４０を備え、該入力インターフェース６１０、出力インターフェース６２０、プロセッサ６３０及びメモリ６４０がバスシステムによって接続されてもよい。前記メモリ６４０はプログラム、命令又はコードを記憶することに用いられる。入力インターフェース６１０が信号を受信し、出力インターフェース６２０が信号を送信するように制御し及び上記方法実施例の操作を完了するよう、前記プロセッサ６３０は前記メモリ６４０におけるプログラム、命令又はコードを実行することに用いられる。
【０１４１】
実現方式では、該中継ノード６００はチップであってもよく、該チップは情報又はデータを送信するための入力回路又はインターフェースと、情報又はデータを受信するための出力回路又はインターフェース等とを備えてもよい。
【０１４２】
該実現方式では、該チップは本願の実施例のネットワーク装置に適用されてもよく、且つ該チップは本願の実施例の各方法におけるネットワーク装置の実現する対応プロセスを実現することができ、簡潔のため、ここで詳細な説明は省略する。
【０１４３】
又は、該チップは本願の実施例の端末装置に適用されてもよく、且つ該チップは本願の実施例の各方法における端末装置の実現する対応プロセスを実現することができ、簡潔のため、ここで詳細な説明は省略する。
【０１４４】
他の実現方式では、前記中継ノード６００は通信装置（例えば、本願の実施例に言及した端末装置又はネットワーク装置等）であってもよく、該通信装置は情報又はデータを送信するための送信機と、情報又はデータを受信するための受信機とを備えてもよい。
【０１４５】
該実現方式では、該通信装置は本願の実施例のネットワーク装置であってもよく、且つ該チップは本願の実施例の各方法におけるネットワーク装置の実現する対応プロセスを実現することができ、簡潔のため、ここで詳細な説明は省略する。
【０１４６】
又は、該通信装置は本願の実施例の端末装置であってもよく、且つ該通信装置は本願の実施例の各方法における端末装置の実現する対応プロセスを実現することができ、簡潔のため、ここで詳細な説明は省略する。
【０１４７】
理解されるように、本願の実施例では、該プロセッサ６３０は中央処理装置（ＣＰＵ、Ｃｅｎｔｒａｌ  Ｐｒｏｃｅｓｓｉｎｇ  Ｕｎｉｔ）であってもよく、該プロセッサ６３０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１４８】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプの情報が記憶されてもよい。
【０１４９】
実現過程において、上記方法の各内容はプロセッサ６３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ６４０に位置し、プロセッサ６３０はメモリ６４０における情報を読み取り、そのハードウェアと組み合わせて上記方法の内容を行う。重複を避けるため、ここで詳細な説明は省略する。
【０１５０】
１つの具体的な実施形態では、図５における通信モジュール５１０は図６における入力インターフェース６１０及び出力インターフェース６２０により実現されてもよく、図５における処理モジュール５２０は図６におけるプロセッサ６３０により実現されてもよい。
【０１５１】
図７は本願の実施例のチップの構造模式図である。図７に示されるチップ７００はプロセッサ７１０を備え、本願の実施例の方法を実現するよう、プロセッサ７１０はメモリからコンピュータプログラムを呼び出して実行してもよい。
【０１５２】
選択肢として、図７に示すように、チップ７００は更にメモリ７２０を備えてもよい。本願の実施例の方法を実現するよう、プロセッサ７１０はメモリ７２０からコンピュータプログラムを呼び出して実行してもよい。
【０１５３】
メモリ７２０はプロセッサ７１０から独立した１つの独立したデバイスであってもよく、プロセッサ７１０に統合されてもよい。
【０１５４】
選択肢として、該チップ７００は更に入力インターフェース７３０を備えてもよい。プロセッサ７１０は該入力インターフェース７３０が他の装置又はチップと通信するように制御してもよく、具体的に、他の装置又はチップから送信された情報又はデータを取得してもよい。
【０１５５】
選択肢として、該チップ７００は更に出力インターフェース７４０を備えてもよい。プロセッサ７１０は該出力インターフェース７４０が他の装置又はチップと通信するように制御してもよく、具体的に、情報又はデータを他の装置又はチップに出力してもよい。
【０１５６】
選択肢として、該チップは本願の実施例のネットワーク装置に適用されてもよく、且つ該チップは本願の実施例の各方法におけるネットワーク装置の実現する対応プロセスを実現することができ、簡潔のため、ここで詳細な説明は省略する。
【０１５７】
選択肢として、該チップは本願の実施例のモバイル端末／端末装置に適用されてもよく、且つ該チップは本願の実施例の各方法におけるモバイル端末／端末装置の実現する対応プロセスを実現することができ、簡潔のため、ここで詳細な説明は省略する。
【０１５８】
理解されるように、本願の実施例に言及したチップが更にシステムレベルチップ、システムチップ、チップシステム又は内蔵システムチップ等と称されてもよい。
【０１５９】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１６０】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）が利用可能である。なお、本明細書に説明されるシステム及び方法のメモリはこれらのメモリ及び任意の他の適切なタイプのメモリを含むが、それらに限らないように意図されるものである。
【０１６１】
理解されるように、上記メモリは例示的な説明であって制限的な説明ではなく、例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願の実施例メモリはこれらのメモリ及び任意の他の適切なタイプのメモリを含むが、それらに限らないように意図されるものである。
【０１６２】
本願の実施例は更にコンピュータプログラムを記憶するためのコンピュータ可読記憶媒体を提供する。
【０１６３】
選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行し、簡潔のため、ここで詳細な説明は省略する。
【０１６４】
選択肢として、該コンピュータ可読記憶媒体は本願の実施例のモバイル端末／端末装置に適用されてもよく、且つ該コンピュータプログラムによってコンピュータが本願の実施例の各方法におけるモバイル端末／端末装置の実現する対応プロセスを実行し、簡潔のため、ここで詳細な説明は省略する。
【０１６５】
本願の実施例は更にコンピュータプログラム命令を含むコンピュータプログラム製品を提供する。
【０１６６】
選択肢として、該コンピュータプログラム製品は本願の実施例のネットワーク装置に適用されてもよく、且つ該コンピュータプログラム命令によってコンピュータが本願の実施例の各方法におけるネットワーク装置の実現する対応プロセスを実行し、簡潔のため、ここで詳細な説明は省略する。
【０１６７】
選択肢として、該コンピュータプログラム製品は本願の実施例のモバイル端末／端末装置に適用されてもよく、且つ該コンピュータプログラム命令によってコンピュータが本願の実施例の各方法におけるモバイル端末／端末装置の実現する対応プロセスを実行し、簡潔のため、ここで詳細な説明は省略する。
【０１６８】
本願の実施例は更にコンピュータプログラムを提供する。
【０１６９】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置の実現する対応プロセスを実行し、簡潔のため、ここで詳細な説明は省略する。
【０１７０】
選択肢として、該コンピュータプログラムは本願の実施例のモバイル端末／端末装置に適用されてもよく、該コンピュータプログラムがコンピュータにおいて実行されるとき、コンピュータが本願の実施例の各方法におけるモバイル端末／端末装置の実現する対応プロセスを実行し、簡潔のため、ここで詳細な説明は省略する。
【０１７１】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１７２】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０１７３】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１７４】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【０１７５】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１７６】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１７７】
以上の説明は本願の具体的な実施形態に過ぎず、本願の保護範囲を制限するためのものではなく、当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021510254.tif 000003
【図２】
2021510254.tif 000004
【図３】
2021510254.tif 000005
【図４】
2021510254.tif 000006
【図５】
2021510254.tif 000007
【図６】
2021510254.tif 000008
【図７】
2021510254.tif 000009
【手続補正書】
【提出日】令和2年7月29日(2020.7.29)
【手続補正１】
【補正対象書類名】明細書
【補正対象項目名】００２９
【補正方法】変更
【補正の内容】
【００２９】
いくつかの可能な実現方式では、前記第１ノードの中継層が前記第１ノードの無線リンク制御（ＲＬＣ）層の上に位置する。
【手続補正２】
【補正対象書類名】明細書
【補正対象項目名】００５０
【補正方法】変更
【補正の内容】
【００５０】
第２態様は中継ノードを提供し、該中継ノードは上記第１態様又は第１態様のいずれか１つの可能な実現方式における方法を実行することに用いられる。具体的に、該中継ノードは上記第１態様又は第１態様のいずれか１つの可能な実現方式における方法を実行するためのユニットを備える。
【手続補正３】
【補正対象書類名】明細書
【補正対象項目名】００５４
【補正方法】変更
【補正の内容】
【００５４】
第６態様はコンピュータプログラムを提供し、該コンピュータプログラムがコンピュータにおいて実行されるとき、コンピュータが上記第１態様又は第１態様のいずれか１つの態様又はその各実現方式における方法を実行する。
【手続補正４】
【補正対象書類名】明細書
【補正対象項目名】００５５
【補正方法】変更
【補正の内容】
【００５５】
第７態様はチップを提供し、該チップはメモリからコンピュータプログラムを呼び出して実行することにより、前記チップを取り付けた装置が上記第１態様又は第１態様のいずれか１つの態様又はその各実現方式における方法を実行するようにするためのプロセッサを備える。
【手続補正５】
【補正対象書類名】明細書
【補正対象項目名】００５８
【補正方法】変更
【補正の内容】
【００５８】
本願の実施例の技術案は様々な通信システム、例えばロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【手続補正６】
【補正対象書類名】明細書
【補正対象項目名】００５９
【補正方法】変更
【補正の内容】
【００５９】
図１には本願の実施例に適用される無線通信システム１００を示す。該無線通信システム１００はネットワーク装置１１０を備えてもよい。ネットワーク装置１１０は端末装置と通信する装置であってもよい。ネットワーク装置１１０は特定の地理的領域に通信カバレッジを提供することができ、且つ該カバレッジ領域内の端末装置（例えば、ＵＥ）と通信することができる。選択肢として、該ネットワーク装置１１０はＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよく、又は、該ネットワーク装置はアクセスポイント、車載装置、ウェアラブル端末、将来の５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【手続補正７】
【補正対象書類名】明細書
【補正対象項目名】００９３
【補正方法】変更
【補正の内容】
【００９３】
選択肢として、該目標データの宛先ノードが該第１ノードに直接接続される端末装置である場合、該目標データの最終的な提出先である中継層の上位層（該第１上位層であってもよい）は更に該目標データを該端末装置に転送してもよい。
【手続補正８】
【補正対象書類名】特許請求の範囲
【補正対象項目名】全文
【補正方法】変更
【補正の内容】
【特許請求の範囲】
【請求項１】
中継伝送方法であって、
第１ノードの中継層が第２ノードから送信された目標データを受信し、前記第２ノードがアンカーノード又は中継ノードであり、前記第１ノードが前記第２ノードに無線接続され、前記アンカーノードがコアネットワークに有線接続され、前記目標データの宛先ノードが第３ノードであることと、
前記第１ノードの中継層が受信された前記目標データを処理することと、を含むことを特徴とする中継伝送方法。
【請求項２】
前記第３ノードが端末装置であり、又は前記第３ノードが端末装置に直接接続される中継ノードであることを特徴とする請求項１に記載の方法。
【請求項３】
前記第１ノードの中継層が受信された前記目標データを処理することは、
前記第１ノードの中継層が前記目標データを前記中継層の上位層に提出することを含むことを特徴とする請求項１又は２に記載の方法。
【請求項４】
前記第１ノードの中継層が受信された前記目標データを処理することは、
前記第１ノードの中継層が前記目標データを他の中継ノードに転送することを含むことを特徴とする請求項１又は２に記載の方法。
【請求項５】
前記第１ノードの中継層が受信された前記目標データを処理することは、
前記第１ノードの中継層が前記目標データを端末装置に転送し、前記第１ノードが前記端末装置に直接接続されることを含むことを特徴とする請求項１又は２に記載の方法。
【請求項６】
前記第１ノードの中継層が前記目標データを端末装置に転送することは、
前記第１ノードの中継層が前記目標データを前記中継層の上位層に提出することと、
前記中継層の上位層が前記目標データを前記端末装置に転送することと、を含むことを特徴とする請求項５に記載の方法。
【請求項７】
前記方法は、更に、
前記第１ノードの中継層が第１指示情報に基づいて前記目標データの処理方式を決定することを含み、前記目標データの処理方式は、
前記目標データを前記端末装置に転送する、前記目標データを他の中継ノードに転送する、及び前記目標データを前記中継層の上位層に提出する方式のうちの１つであることを特徴とする請求項１〜６のいずれか１項に記載の方法。
【請求項８】
前記第１指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報のうちの少なくとも１つを示すことに用いられることを特徴とする請求項７に記載の方法。
【請求項９】
前記第１指示情報は、
中継層、媒体アクセス制御（ＭＡＣ）層、無線リンク制御（ＲＬＣ）層、前記中継層の少なくとも１つの上位層のうちの少なくとも１つのプロトコル層のパケットデータユニット（ＰＤＵ）のメッセージヘッダーに含まれることを特徴とする請求項７又は８に記載の方法。
【請求項１０】
前記方法は、更に、
前記目標データを他の中継ノードに提出しないと決定した場合、前記第１ノードの中継層が第２指示情報に基づき、前記目標データを前記中継層の第１上位層に提出することを決定し、前記第１上位層が前記中継層の少なくとも１つの上位層のうちの１つであることを含むことを特徴とする請求項７〜９のいずれか１項に記載の方法。
【請求項１１】
前記第１ノードの中継層が第２指示情報に基づき、前記目標データを前記中継層の第１上位層に提出することを決定することは、
前記第１ノードの中継層が前記第２指示情報に基づき、前記目標データを前記端末装置に転送する必要があるかどうかを決定することと、
前記第１ノードの中継層が前記目標データを前記端末装置に転送する必要があるかどうかによって、前記目標データの提出先である前記第１上位層を決定することと、を含むことを特徴とする請求項１０に記載の方法。
【請求項１２】
前記第１ノードの中継層が前記目標データを前記中継層の上位層に提出することは、
前記第１ノードの中継層が前記目標データを前記第１上位層に提出することを含むことを特徴とする請求項１０又は１１に記載の方法。
【請求項１３】
前記第２指示情報は、
論理チャネル識別子、前記目標データが前記第１ノードに送信されるかどうか、前記目標データが前記第１ノードに直接接続される前記端末装置に送信されるかどうか、前記目標データが他の中継ノードに送信されるかどうか、前記目標データがデータ無線ベアラ（ＤＲＢ）に含まれるかどうか、前記目標データがシグナリング無線ベアラ（ＳＲＢ）に含まれるかどうか、ＩＰアドレス、ＩＰメッセージヘッダーのポート情報、前記目標データが無線リソース制御（ＲＲＣ）データであるかどうか、前記目標データがＦ１アプリケーションプロトコル（Ｆ１ＡＰ）データであるかどうかのうちの少なくとも１つを示すことに用いられることを特徴とする請求項１０〜１２のいずれか１項に記載の方法。
【請求項１４】
中継ノードであって、
第２ノードから送信された目標データを受信することに用いられ、前記第２ノードがアンカーノード又は中継ノードであり、前記中継ノードが前記第２ノードに無線接続され、前記アンカーノードがコアネットワークに有線接続され、前記目標データの宛先ノードが第３ノードである通信モジュールと、
受信された前記目標データを処理することに用いられる処理モジュールと、を備えることを特徴とする中継ノード。
【請求項１５】
コンピュータプログラムを記憶することに用いられ、前記コンピュータプログラムによってコンピュータが請求項１〜１３のいずれか１項に記載の方法を実行することを特徴とする記憶媒体。
【国際調査報告】
2021510254.tif 000010
2021510254.tif 000011
2021510254.tif 000012
2021510254.tif 000013
2021510254.tif 000014
2021510254.tif 000015